(57)【要約】【課題】光ディスク装置において、レーザ光の光路が変化する場合にも、レーザ光の強度を適切に制御することにある。【解決手段】光ディスク装置において、可動光学部１ａにフォトインタラプタ１０２ａを配置すると共に、可動光学部１ａの移動方向に平行に複数の遮蔽板２１ａ〜２３ａを配置する。遮蔽板２１ａ〜２３ａにはセンサが設けられている。遮蔽板２１ａ〜２３ａのセンサによってフォトインタラプタ１０２ａからの光を遮蔽するかを検出し、可動光学部１ａの半径方向での位置を算出する。この算出値に応じてレーザ光の強度を調節する。【選択図】　　　図２
2004134031.tif 000002
【特許請求の範囲】
【請求項１】
前記光ディスクの半径方向に往復移動することによりトラッキング動作を行い、前記光ディスク面の垂直方向に往復移動する可動光学部と、レーザ光を出射及び検出する固定光学部とを備え、レーザ光の光路が大きく変化する光ディスク装置において、
前記可動光学部に配置されるフォトインタラプタと、
前記可動光学部の移動方向と平行にかつ前記フォトインタラプタに対向するように配置される複数の遮蔽板とを設け、
前記フォトインタラプタから出射されるレーザ光を遮蔽する遮蔽板によって、前記可動光学部の前記光ディスク上での半径方向の位置を算出し、前記レーザの強度を調節する、
ことを特徴とする光ディスク装置。
【請求項２】
前記光ディスクの半径方向に往復移動することによりトラッキング動作を行い、前記光ディスク面の垂直方向に往復移動する可動光学部と、
レーザ光を出射及び検出する固定光学部と、
前記レーザ光の検出値から前記可動光学部の前記光ディスク上での半径方向の位置を算出し、前記レーザの強度を調節するレーザパワー制御部と、
を備える光ディスク装置。
【請求項３】
前記可動光学部に配置されるフォトインタラプタと、
前記可動光学部の移動方向と平行にかつ前記フォトインタラプタに対向するように配置される複数の遮蔽板をとさらに備え、
前記レーザパワー制御部は、前記フォトインタラプタから出射されるレーザ光を遮蔽する遮蔽板によって、前記可動光学部の前記光ディスク上での半径方向の位置を算出する、
請求項２に記載の光ディスク装置。
【請求項４】
前記可動光学部に配置される受発光対と、
前記可動光学部の移動方向と平行に配置されるスリットバーと、
をさらに備え、
前記レーザパワー制御部は、前記受発光対及びスリットバーによって前記可動光学部の前記光ディスク上での半径方向の位置を算出する、
請求項２に記載の光ディスク装置。
【請求項５】
前記光ディスクの半径方向に往復移動することによりトラッキング動作を行い、前記光ディスク面の垂直方向に往復移動する可動光学部と、
レーザ光を出射及び検出する固定光学部と、
前記レーザ光の検出値から前記可動光学部の前記光ディスク上での半径方向の位置を算出し、前記レーザの強度を調節するレーザパワー制御部と、
を備える光ピックアップ。
【発明の詳細な説明】
【０００１】
【発明の属する技術分野】
本発明は、光ディスク装置、特に、ＣＤやＤＶＤなどの光ディスクの再生及び／又は記録用の光ディスク装置に関する。
【０００２】
【従来の技術】
図１は、従来の光ディスク装置の光ピックアップの構成を示す図である。この光ディスク装置は、例えば特開平５−１８９７９７号公報に記載されている。
この光ピックアップは、回転駆動部５に固定されているディスク４の表裏面で情報を記録及び再生するものである。この光ピックアップは、可変光学部１ａ，１ｂと固定光学部１ｃと光学分配部１ｄとを備えている。
【０００３】
可変光学部１ａは、それぞれ、全反射プリズム９ａ，９ｂと対物レンズ１０ａ，１０ｂとレンズアクチュエータ１１ａ，１１ｂとを有している。また可変光学部１ａ，１ｂは、それぞれ、リニアモータ２ａ，２ｂによって、レール３ａ，３ｂに沿って横方向に往復運動する。
固定光学部１ｃは、半導体レーザ６とコリメートレンズ７と偏向ビームスプリッタ８とフォトディテクタ１２とヘッドアンプ１３とを有しており、レーザ光を出射すると共に、レーザ光の反射光を検出する。光学分配部１ｄは、可変位相板１４と偏向ビームスプリッタ１５ａ，１５ｂとλ／４板１６ａ，１６ｂとを有しており、可変光学部１ａ，１ｂのいずれかに固定光学部１ｃからのレーザ光を選択的に分配する。
【０００４】
このように、対物レンズ１０ａ，１０ｂの位置が往復運動する場合、半導体レーザ６から対物レンズ１０ａ，１０ｂまでの光路長が大きく変化するため、光ディスク４の半径方向の位置によって光ディスク４上に出射されるレーザ光の強度にばらつきが生じるおそれがある。このため、光ディスク４上の位置によって半導体レーザ６の強度を調節する必要がある。
【０００５】
レーザ光の強度を調節する光ディスク装置は、例えば、特開平８−３２１０４３号公報、特開平９−３２００９４号公報、特開平１０−１０６００７号公報、特開平１０−１５４３３３号公報に記載されている。
（１）特開平８−３２１０４３号公報に記載されている光ディスク装置は、角速度一定方式の光ディスク装置において、走査速度に応じてレーザパワーを最適に調節する。
（２）特開平９−３２００９４号公報に記載されている光ディスク装置は、光ディスクの種類及び最適再生ビーム強度に関する情報を読み取り、レーザパワーを最適に調節する。
（３）特開平１０−１０６００７号公報に記載されている光ディスク装置は、再生時に光ディスクの情報を誤消去しないように、レーザ光の再生パワー上限値を設定しておき、再生パワー上限値を超えないようにレーザパワーを調節する。
（４）特開平１０−１５４３３３号公報に記載されている光ディスク装置も、角速度一定方式の光ディスク装置に関するものであり、光ディスクのユーザデータ部にレーザ強度に関する情報を記録しておき、この情報に基づいてレーザパワーを制御する。
【０００６】
【発明が解決しようとする課題】
（１）特開平８−３２１０４３号公報に記載されている光ディスク装置は、走査速度に応じてレーザパワーを最適に調節するが、レーザから対物レンズまでの光路長が変化することによって生じるレーザパワーのばらつきについては記載されていない。
（２）特開平９−３２００９４号公報に記載されている光ディスク装置は、光ディスクの種類及び最適再生ビーム強度に関する情報を読み取り、レーザパワーを最適に調節するが、レーザから対物レンズまでの光路長が変化することによって生じるレーザパワーのばらつきについては記載されていない。
（３）特開平１０−１０６００７号公報に記載されている光ディスク装置は、再生パワー上限値を超えないようにレーザパワーを調節するが、レーザから対物レンズまでの光路長が変化することによって生じるレーザパワーのばらつきについては記載されていない。
（４）特開平１０−１５４３３３号公報に記載されている光ディスク装置は、角速度一定方式の光ディスク装置において、半径方向の位置によってレーザ強度を調節するものであるが、レーザから対物レンズまでの光路長が変化することによって生じるレーザパワーのばらつきについては記載されていない。
【０００７】
本発明の目的は、光ディスク装置において、レーザ光の光路が変化する場合にも、レーザ光の強度を適切に制御することにある。
【０００８】
【課題を解決するための手段】
第１発明に係る光ディスク装置は、光ディスクの半径方向に往復移動することによりトラッキング動作を行い、光ディスク面の垂直方向に往復移動する可動光学部と、レーザ光を出射及び検出する固定光学部とを備え、レーザ光の光路が大きく変化する光ディスク装置において、以下の特徴を有する。
【０００９】
即ち、可動光学部に配置されるフォトインタラプタと、可動光学部の移動方向と平行にかつフォトインタラプタに対向するように配置される複数の遮蔽板とを設ける。
そして、フォトインタラプタから出射されるレーザ光を遮蔽する遮蔽板によって、可動光学部の前記光ディスク上での半径方向の位置を算出し、ディスクへのレーザの強度を調節する。
【００１０】
この光ディスク装置では、どの遮蔽板がフォトインタラプタの光を遮蔽するかによって可動光学部が位置する半径方向の位置を算出することができ、簡単な制御で光路長に応じてレーザ光を調節できる。
第２発明に係る光ディスク装置は、光ディスクの半径方向に往復移動することによりトラッキング動作を行い、光ディスク面の垂直方向に往復移動する可動光学部と、レーザ光を出射及び検出する固定光学部と、レーザ光の検出値から可動光学部の光ディスク上での半径方向の位置を算出し、レーザの強度を調節するレーザパワー制御部とを備えている。
【００１１】
この光ディスク装置によれば、可動光学部が往復運動することによりレーザ光の光路長が大きく変化する場合にも、反射光からセクタアドレスを取り出し、半径方向の位置を算出することにより、光路長に応じてレーザ光の強度を適切に制御できる。
第３発明に係る光ディスク装置は、第２発明に係る光ディスク装置において、可動光学部に配置されるフォトインタラプタと、可動光学部の移動方向と平行にかつフォトインタラプタに対向するように配置される複数の遮蔽板をさらに備えている。また、レーザパワー制御部は、フォトインタラプタから出射されるレーザ光を遮蔽する遮蔽板によって、可動光学部の光ディスク上での半径方向の位置を算出する。ここで、遮蔽板は、例えば３個設ける。また、遮蔽板の数を増やせば、半径方向での位置の算出の精度を高めることができる。
【００１２】
この光ディスク装置では、反射光の検出値から半径方向の位置を算出しなくても、どの遮蔽板がフォトインタラプタの光を遮蔽するかによって可動光学部が位置する半径方向の位置を算出することができ、簡単な制御で光路長に基づいてレーザ光を調節できる。
第４発明に係る光ディスク装置は、第２発明に係る光ディスク装置において、可動光学部に配置される受発光対と、可動光学部の移動方向と平行に配置されるスリットバーとをさらに備えている。そして、レーザパワー制御部は、受発光対及びスリットバーにより構成されるエンコーダによって位置を検出する。
【００１３】
この場合、可動光学部の外部に配置されるスリットバーには配線をする必要がなく、回路構成を簡易にできる。
第５発明に係る光ピックアップは、光ディスクの半径方向に往復移動することによりトラッキング動作を行い、光ディスク面の垂直方向に往復移動することによりフォーカシング動作を行う可動光学部と、レーザ光を出射及び検出する固定光学部と、レーザ光の検出値から可動光学部の前記光ディスク上での半径方向の位置を算出し、レーザの強度を調節するレーザパワー制御部とを備えている。
【００１４】
この光ピックアップは、第２発明に係る光ディスク装置で述べたと同様の作用効果を奏する。
【発明の実施の形態】
（１）第１実施形態例
（１−１）構成
図２は、第１実施形態例に係る光ディスク装置の光ピックアップの構成例である。この光ピックアップは、可動光学部１ａと、固定光学部１ｃと、光学分配部１ｄと、遮蔽板２１ａ〜２３ａとを備えている。また、この光ピックアップは、光ディスク４の反対側に、可動光学部１ｂ及び遮蔽板２１ｂ〜２３ｂを同様に備えている。
【００１５】
可変光学部１ａは、可動光学部本体１００ａと、本体１００ａの側面に設けられた係合部１０２ａと、本体１００ａの側面に配置されたフォトインタラプタ１０１ｃとを備えている。本体１００ａには、図１に示したように、全反射プリズム９ａと対物レンズ１０ａとレンズアクチュエータ１１ａとを有している。また可変光学部１ａは、図１で説明した様に、リニアモータ２ａによって、レール３ａ（図示せず）に沿って横方向に往復運動する。係合部１０２ａは、本体１００ａから突出してＬ字状に形成されている。また、本体１００ａは、係合部１０２ａと同じ側面にフォトインタラプタ１０１ｃが設けられている。フォトインタラプタ１０１ｃは、レーザ光を出射する発光源を有している。
【００１６】
固定光学部１ｃ及び光分配部１ｄは、図１と同様の構成であり、可変光学部１ａにレーザ光を供給し、光ディスク４からの反射光を受光する。
遮蔽板２１ａ〜２３ａは、上方向に開放されたコ字状に形成されている。このコ字状の溝が係合部１０１ａの受部となっており、係合部１０１ａが係合する。各遮蔽板２１ａ〜２３ａは、取付面３１ａ〜３３ａにおいて、レール３ａが固定されているレンズ支持部（図示せず）に固定されている。また、各遮蔽部２１ａ〜２３ａのフォトインタラプタ１０１ｃに対向する側にはセンサ（図示しない）が設けられており、各センサはレーザパワー制御部に接続されている。
【００１７】
（１−２）動作
トラッキング動作が開始されると、可動光学部１００ａは矢印方向に往復運動する。各遮蔽板２１ａ〜２３ａのセンサからの信号は、レーザパワー制御部に送られ、レーザパワー制御部で可動光学部１ａの半径方向での位置が算出され、これに基づいて半導体レーザ６の強度が調節される。
【００１８】
図３は、レーザパワー制御部での可動光学部１ａの半径方向での位置の算出に用いるテーブルである。同図に示すように、どの遮蔽板２１ａ〜２３ａのセンサがフォトインタラクタ１０２ａを遮蔽しているかによって、半径方向の位置▲１▼〜▲６▼が決定される。半径方向の位置は、▲１▼〜▲６▼の順に光ディスク４の中央に近づく。即ち、▲１▼の場合はレーザ光の光路長が最小であり、▲６▼の場合がレーザ光の光路長が最大となる。
【００１９】
（１−３）まとめ
この光ピックアップでは、反射光の検出値から半径方向の位置を算出しなくても、どの遮蔽板２１ａ〜２３ａがフォトインタラプタ１０２ａを遮蔽するかによって、可動光学部１ａが位置する半径方向の位置▲１▼〜▲６▼を算出することができ、簡単な制御で光路長に基づいてレーザ光を調節できる。
【００２０】
また、遮蔽板の数を増やせば、可動光学部１ａの位置をより詳細に算出することができ、光路長に基づくレーザ光の制御をより精度良く行うことが出来る。
（２）第２実施形態例
本実施形態例では、可動光学部本体１００ａの側面に受発光対１０３ａが配置されており、受発光対１０３ａはレーザパワー制御部に接続されている。また、可動光学部１ａの移動方向に沿って、複数のスリットが形成されたスリットバー４０ａが配置されている。
【００２１】
この光ピックアップでは、受発光対１０３ａが通過したスリットの数をカウントし、可動光学部１ａの半径方向での位置を算出する。この場合、スリットバー４０ａには配線する必要がなく、回路構成を簡易にできる。
【００２２】
【発明の効果】
本発明によれば、光ディスク装置において、レーザ光の光路が変化する場合にも、レーザ光の強度を適切に制御し得る。
【図面の簡単な説明】
【図１】従来の光ディスク装置の光ピックアップの概略構成例。
【図２】第１実施形態例に係る光ディスク装置の光ピックアップの斜視図。
【図３】可動光学部の位置算出の説明図。
【図４】第１実施形態例に係る光ディスク装置の光ピックアップの斜視図。
【符号の説明】
１ａ、１ｂ　可動光学部
１ｃ　　　　固定光学部
１ｄ　　　　光分配部
１００ａ　　　可動光学部本体
１０１ａ　　　係合部
１０２ａ　　　フォトインタラプタ
１０３ａ　　　受発光対
２１ａ〜２３ａ　　　　　遮蔽板
３１ａ〜３３ａ　　　　　取付面
４０　　　　　スリットバー
【図１】
2004134031.tif 000003
【図２】
2004134031.tif 000004
【図３】
2004134031.tif 000005
【図４】
2004134031.tif 000006